(57)【要約】【課題】本発明は、上述の問題を解決するために案出されたものであり、ディスプレイ装置とディスプレイ装置に接続されることのできる外部機器との接続関係をディスプレイできるディスプレイ装置及びそのディスプレイ方法を提供する。【解決手段】ディスプレイ装置が開示される。ディスプレイ装置は、ディスプレイ装置を示す第１グラフィック、外部機器を示す第２グラフィック及びディスプレイ装置と外部機器との間の接続状態を示す第３グラフィックをディスプレイするディスプレイ部と、ディスプレイ装置に少なくとも１つ以上の外部機器が装着されると、第３グラフィックを変化させるようにディスプレイ部を制御する制御部とを含む。これにより、ディスプレイ装置に接続されることのできる外部機器とディスプレイ装置との接続状態をディスプレイ部で明確に確認することができ、ユーザの便宜を図ることができる。【選択図】図１
2011002836.tif 000002
【特許請求の範囲】
【請求項１】
ディスプレイ装置を示す第１グラフィック、外部機器を示す第２グラフィック及び前記ディスプレイ装置と外部機器との間の接続状態を示す第３グラフィックをディスプレイするディスプレイ部と、
前記外部機器から入力されるデータを前記ディスプレイ装置がディスプレイできるか否かを判断する判断部と、
前記ディスプレイ装置に少なくとも１つ以上の外部機器が装着されると、前記第３グラフィックを変化させるように前記ディスプレイ部を制御する制御部と、
を含むディスプレイ装置。
【請求項２】
前記ディスプレイ部は、前記ディスプレイ装置と前記外部機器とが接続されているか否かの状態を示すメッセージ、前記外部機器の名称及びモデル名を示すメッセージ及び前記ディスプレイ装置の名称及びモデル名を示すメッセージのうち、少なくとも１つをディスプレイすることを特徴とする請求項１に記載のディスプレイ装置。
【請求項３】
前記制御部は、前記ディスプレイ装置に前記外部機器が装着されると、前記第３グラフィックが前記第１グラフィックと前記第２グラフィックとを連結する波線でディスプレイされ、接続中の状態を示すメッセージが前記第３グラフィックの一側にディスプレイされるように、前記ディスプレイ部を制御することを特徴とする請求項１に記載のディスプレイ装置。
【請求項４】
前記制御部は、前記外部機器から入力されるデータを前記ディスプレイ装置がディスプレイできると判断されると、前記第３グラフィックが前記第１グラフィックと前記第２グラフィックとを連結する実線でディスプレイされ、接続済みの状態を示すメッセージが前記第３グラフィックの一側にディスプレイされるように、前記ディスプレイ部を制御することを特徴とする請求項１に記載のディスプレイ装置。
【請求項５】
前記制御部は、前記外部機器から入力されるデータを前記ディスプレイ装置がディスプレイできると判断されると、前記外部機器の種類及びモデル名のうち、少なくとも１つがディスプレイされるように、前記ディスプレイ部を制御することを特徴とする請求項１に記載のディスプレイ装置。
【請求項６】
前記第３グラフィックは、前記ディスプレイ装置の接続ポートを示す第１ポートグラフィック及び前記外部機器の接続ポートを示す第２ポートグラフィックを含み、
前記制御部は、前記外部機器が前記ディスプレイ装置に正常に装着されなかった場合、前記第２ポートグラフィックを拡大させたり点滅させるように、前記ディスプレイ部を制御することを特徴とする請求項１に記載のディスプレイ装置。
【請求項７】
前記外部機器の種類及びモデル名のうち、少なくとも１つが入力される入力部を更に含み、
前記制御部は、前記ディスプレイ装置が外部接続素子を介して前記外部機器と接続される場合、前記入力部で入力された前記外部機器の種類及びモデル名のうち、少なくとも１つがディスプレイされるように前記ディスプレイ部を制御することを特徴とする請求項１に記載のディスプレイ装置。
【請求項８】
ディスプレイ装置に少なくとも１つ以上の外部機器が装着されると、前記外部機器から入力されるデータを前記ディスプレイ装置がディスプレイできるか否かを判断するステップと、
前記判断に応じて、前記ディスプレイ装置、前記外部機器及び前記ディスプレイ装置と前記外部機器との間の接続状態をディスプレイするステップと、
を含むディスプレイ装置のディスプレイ方法。
【請求項９】
前記ディスプレイするステップは、前記ディスプレイ装置を示す第１グラフィック、前記外部機器を示す第２グラフィック及び前記ディスプレイ装置と前記外部機器との間の接続状態を示す第３グラフィックのうち、少なくとも１つをディスプレイすることを特徴とする請求項８に記載のディスプレイ装置のディスプレイ方法。
【請求項１０】
前記ディスプレイ装置に前記外部機器が装着されると、前記第３グラフィックを前記第１グラフィックと前記第２グラフィックとを連結する波線でディスプレイし、接続中の状態を示すメッセージを前記第３グラフィックの一側にディスプレイするステップを更に含むことを特徴とする請求項９に記載のディスプレイ装置のディスプレイ方法。
【請求項１１】
前記ディスプレイするステップは、前記外部機器から入力されるデータを前記ディスプレイ装置がディスプレイできると判断されると、前記第３グラフィックを前記第１グラフィックと前記第２グラフィックとを連結する実線でディスプレイし、接続済みの状態を示すメッセージを前記第３グラフィックの一側にディスプレイすることを特徴とする請求項９に記載のディスプレイ装置のディスプレイ方法。
【請求項１２】
前記ディスプレイするステップは、前記外部機器から入力されるデータを前記ディスプレイ装置がディスプレイできないと判断されると、前記第１グラフィック及び前記第２グラフィックを接続する第３グラフィックに予め設定された形のイメージをオーバーラップさせてディスプレイしたり、前記第３グラフィックをディスプレイせずに前記第２グラフィックに前記予め設定された形のイメージをディスプレイすることを特徴とする請求項９に記載のディスプレイ装置のディスプレイ方法。
【請求項１３】
前記ディスプレイするステップは、前記外部機器から入力されるデータを前記ディスプレイ装置がディスプレイできると判断されると、前記外部機器の種類及びモデル名のうち、少なくとも１つをディスプレイすることを特徴とする請求項９に記載のディスプレイ装置のディスプレイ方法。
【請求項１４】
前記外部機器の種類及びモデル名のうち、少なくとも１つが入力されるステップを更に含み、
前記ディスプレイするステップは、前記ディスプレイ装置が外部接続素子を介して前記外部機器と接続される場合、前記入力された前記外部機器の種類及びモデル名のうち、少なくとも１つをディスプレイすることを特徴とする請求項９に記載のディスプレイ装置のディスプレイ方法。
【請求項１５】
前記少なくとも１つ以上の外部機器が前記ディスプレイ装置に接続され、前記外部機器のうち少なくとも１つが実行されると、前記実行された外部機器に対応される前記第２グラフィックをハイライトさせてディスプレイするステップを更に含むことを特徴とする請求項９に記載のディスプレイ装置のディスプレイ方法。
【発明の詳細な説明】
【技術分野】
【０００１】
本発明はディスプレイ装置及びそのディスプレイ方法に関し、より詳細にはディスプレイ装置に装着される外部機器の接続状態をディスプレイできるディスプレイ装置及びディスプレイ方法に関する。
【背景技術】
【０００２】
電子技術の発展により、現在多くの機器をＴＶのようなディスプレイ装置に接続して使うことができるようになった。
【０００３】
特に、ＶＣＲ(Ｖｉｄｅｏ  Ｃａｓｓｅｔｔｅ  Ｒｅｃｏｒｄｅｒ)、ＢＤＰ(Ｂｌｕｅ  ｒａｙ  Ｄｉｓｋ  Ｐｌａｙｅｒ)及びＤＶＤプレイヤー等のようなＡＶ機器は、イーサネット(登録商標)、ＭｏＣＡ(ｍｕｌｔｉｍｅｄｉａ  ｏｖｅｒ  Ｃｏａｘ  Ａｌｌｉａｎｃｅ)、ＨＤＭＩ等のような多様なインターフェースを持つことができる。これにより、ユーザが新たに購入したＡＶ機器をディスプレイ装置と接続するのが困難だった。
【０００４】
なお、ユーザが新たに購入したＡＶ機器のインターフェースを既に知っているか、１つの統合インターフェースが存在し、ディスプレイ装置とＡＶ機器を接続したとしても、このような接続が正常にできているか否かを直観的に知る方法がなく、不便だった。
【先行技術文献】
【特許文献】
【０００５】
【特許文献１】日本特開平９−１５４０７７号公報
【特許文献２】韓国特開１０−０７６５７８９号公報
【特許文献３】韓国特開１０−０３３１８３２号公報
【特許文献４】日本特開平５−１６１０８４号公報
【発明の概要】
【発明が解決しようとする課題】
【０００６】
本発明は、上述の問題を解決するために案出されたものであり、ディスプレイ装置とディスプレイ装置に接続されることのできる外部機器との接続関係をディスプレイできるディスプレイ装置及びそのディスプレイ方法を提供する。
【課題を解決するための手段】
【０００７】
本発明の一実施例に係るディスプレイ装置は、ディスプレイ装置を示す第１グラフィック、外部機器を示す第２グラフィック及び前記ディスプレイ装置と外部機器との間の接続状態を示す第３グラフィックをディスプレイするディスプレイ部及び前記ディスプレイ装置に少なくとも１つ以上の外部機器が装着されると、前記第３グラフィックを変化させるように前記ディスプレイ部を制御する制御部を含む。
【０００８】
この場合、前記ディスプレイ部は、前記ディスプレイ装置と前記外部機器とが接続されているか否かの状態を示すメッセージをディスプレイすることができる。
【０００９】
なお、前記ディスプレイ部は、前記外部機器の名称及びモデル名を示すメッセージをディスプレイすることができる。
【００１０】
更に、前記ディスプレイ部は、前記ディスプレイ装置の名称及びモデル名を示すメッセージをディスプレイすることができる。
【００１１】
ここで、前記制御部は、前記ディスプレイ装置に前記外部機器が装着されると、前記第３グラフィックが前記第１グラフィックと前記第２グラフィックとを連結する波線でディスプレイされ、接続中の状態を示すメッセージが前記第３グラフィックの一側にディスプレイされるように前記ディスプレイ部を制御することができる。
【００１２】
なお、前記外部機器から入力されるデータを前記ディスプレイ装置がディスプレイできるか否かを判断する判断部を更に含むことができる。
【００１３】
ここで、前記制御部は、前記外部機器から入力されるデータを前記ディスプレイ装置がディスプレイできると判断されると、前記第３グラフィックが前記第１グラフィックと前記第２グラフィックとを連結する実線でディスプレイされ、接続済みの状態を示すメッセージが前記第３グラフィックの一側にディスプレイされるように、前記ディスプレイ部を制御することができる。
【００１４】
なお、前記制御部は、前記外部機器から入力されるデータを前記ディスプレイ装置がディスプレイできないと判断されると、前記第１グラフィック及び前記第２グラフィックを接続する第３グラフィックに予め設定された形のイメージがオーバーラップされてディスプレイされたり、前記第３グラフィックがディスプレイされずに前記第２グラフィックに前記予め設定された形のイメージがディスプレイされるように前記ディスプレイ部を制御することができる。
【００１５】
更に、前記制御部は、前記外部機器から入力されるデータを前記ディスプレイ装置がディスプレイできると判断されると、前記外部機器の種類及びモデル名のうち、少なくとも１つがディスプレイされるようにディスプレイ部を制御することができる。
【００１６】
ここで、前記第３グラフィックは、前記ディスプレイ装置の接続ポートを示す第１ポートグラフィック及び前記外部機器の接続ポートを示す第２ポートグラフィックを含み、前記制御部は、前記外部機器が前記ディスプレイ装置に正常に装着されなかった場合、前記第２ポートグラフィックを拡大させたり点滅させるように前記ディスプレイ部を制御することができる。
【００１７】
なお、前記外部機器の種類及びモデル名のうち、少なくとも１つが入力される入力部を更に含み、前記制御部は、前記ディスプレイ装置が外部接続素子を介して前記外部機器と接続される場合、前記外部接続素子と接続された外部機器を示す第３グラフィックがディスプレイされ、前記入力部で入力された前記外部機器の種類及びモデル名のうち、少なくとも１つがディスプレイされるように前記ディスプレイ部を制御することができる。
【００１８】
ここで、前記制御部は、前記少なくとも１つ以上の外部機器が前記ディスプレイ装置に接続され、前記外部機器のうち少なくとも１つが実行されると、前記第１グラフィック及び前記実行された外部機器に対応される前記第２グラフィックがハイライトされるように前記ディスプレイ部を制御することができる。
【００１９】
一方、本発明の一実施例に係るディスプレイ装置のディスプレイ方法は、ディスプレイ装置に少なくとも１つ以上の外部機器が装着されると、前記外部機器から入力されるデータを前記ディスプレイ装置がディスプレイできるか否かを判断するステップ及び前記判断に応じて、前記ディスプレイ装置、前記外部機器及び前記ディスプレイ装置と前記外部機器との間の接続状態をディスプレイするステップを含む。
【００２０】
ここで、前記ディスプレイするステップは、前記ディスプレイ装置を示す第１グラフィック、前記外部機器を示す第２グラフィック及び前記ディスプレイ装置と前記外部機器との間の接続状態を示す第３グラフィックのうち、少なくとも１つをディスプレイすることができる。
【００２１】
なお、前記ディスプレイ装置に前記外部機器が装着されると、前記第３グラフィックを前記第１グラフィックと前記第２グラフィックとを連結する波線でディスプレイし、接続中の状態を示すメッセージを前記第３グラフィックの一側にディスプレイするステップを更に含むことができる。
【００２２】
ここで、前記ディスプレイするステップは、前記外部機器から入力されるデータを前記ディスプレイ装置がディスプレイできると判断されると、前記第３グラフィックを前記第１グラフィックと前記第２グラフィックとを連結する実線でディスプレイし、接続済みの状態を示すメッセージを前記第３グラフィックの一側にディスプレイすることができる。
【００２３】
なお、前記ディスプレイするステップは、前記外部機器から入力されるデータを前記ディスプレイ装置がディスプレイできないと判断されると、前記第１グラフィック及び前記第２グラフィックを接続する第３グラフィックに予め設定された形のイメージをオーバーラップさせてディスプレイしたり、前記第３グラフィックをディスプレイせずに前記第２グラフィックに前記予め設定された形のイメージをディスプレイすることができる。
【００２４】
更に、前記ディスプレイするステップは、前記外部機器から入力されるデータを前記ディスプレイ装置がディスプレイできると判断されると、前記外部機器の種類及びモデル名のうち、少なくとも１つをディスプレイすることができる。
【００２５】
ここで、前記第３グラフィックは、前記ディスプレイ装置の接続ポートを示す第１ポートグラフィック及び前記外部機器の接続ポートを示す第２ポートグラフィックを含み、前記ディスプレイするステップは、前記外部機器が前記ディスプレイ装置に正常に接続されなかったため、前記外部機器から入力されるデータを前記ディスプレイ装置がディスプレイできないと判断されると、前記第２ポートグラフィックを拡大させたり点滅させることができる。
【００２６】
なお、外部機器の種類及びモデル名が入力されるステップを更に含み、前記ディスプレイするステップは、前記ディスプレイ装置が外部接続素子を介して前記外部機器と接続される場合、前記外部接続素子と接続された外部機器を示す第３グラフィックをディスプレイし、前記入力された前記外部機器の種類及びモデル名のうち、少なくとも１つをディスプレイすることができる。
【００２７】
更に、前記少なくとも１つ以上の外部機器が前記ディスプレイ装置に接続されて前記外部機器のうち、少なくとも１つが実行されると、前記第１グラフィック及び前記実行された外部機器に対応される前記第２グラフィックをハイライトさせてディスプレイするステップを更に含むことができる。
【００２８】
なお、前記第２グラフィックを選択するための信号が入力されるステップ及び前記第２グラフィックが選択されると、前記選択された第２グラフィックに対応される外部機器を実行するための制御信号を前記外部機器に転送するステップを更に含むことができる。
【図面の簡単な説明】
【００２９】
【図１】図１は、本発明の一実施例に係るディスプレイ装置を示す図である。
【図２】図２は、図１のディスプレイ装置をより具体的に示すための図である。
【図３】図３は、ディスプレイ部の多様な例を示す図である。
【図４】図４は、ディスプレイ部の多様な例を示す図である。
【図５】図５は、ディスプレイ部の多様な例を示す図である。
【図６】図６は、ディスプレイ部の多様な例を示す図である。
【図７】図７は、ディスプレイ部の多様な例を示す図である。
【図８】図８は、ディスプレイ部の多様な例を示す図である。
【図９】図９は、本発明の一実施例に係るディスプレイ装置のディスプレイ方法を示すフローチャートである。
【図１０】図１０は、図９のディスプレイ装置のディスプレイ方法をより具体的に示すフローチャートである。
【発明を実施するための形態】
【００３０】
以下、図面を参照して本発明の多様な実施例についてより具体的に説明する。
図１は、本発明の一実施例に係るディスプレイ装置を示す図である。図１を参照すれば、ディスプレイ装置はディスプレイ部１１０及び制御部１２０を含む。
【００３１】
ディスプレイ部１１０はディスプレイ装置１００を示す第１グラフィック、外部機器を示す第２グラフィック及びディスプレイ装置１００と外部機器２００との間の接続状態を示す第３グラフィックをディスプレイすることができる。ここで、接続状態は、接続中の状態、接続済みの状態、接続不可の状態、不完全接続の状態等多様な状態になることができる。
【００３２】
なお、ディスプレイ部１１０は、ディスプレイ装置１００と外部機器とが接続されているか否かの状態を示すメッセージをディスプレイすることができる。なお、ディスプレイ部１１０は、外部機器の名称及びモデル名をディスプレイすることができる。更に、ディスプレイ部１１０はディスプレイ装置１００の名称及びモデル名を示すメッセージを追加ディスプレイすることもできる。又は、ディスプレイ装置と外部機器のうち何れか１つの名称とモデル名のみがディスプレイされることができ、名称とモデル名のうち何れか１つのみがディスプレイされることもできる。
【００３３】
ディスプレイ部１１０は、外部機器がディスプレイ装置に装着されると、自動的にポップアップウィンドウ又はＯＳＤ(Ｏｎ  Ｓｃｒｅｅｎ  Ｄｉｓｐｌａｙ)ウィンドウで活性化されることができ、ユーザの選択によって活性化されることもできる。
【００３４】
制御部１２０は、ディスプレイ装置１００に少なくとも１つ以上の外部機器が装着されると、第３グラフィックを変化させるようにディスプレイ部１１０を制御することができる。
【００３５】
これにより、ディスプレイ装置１００に接続されることのできる外部機器とディスプレイ装置１００との接続状態をディスプレイ部１１０で明確に確認することができ、その結果ユーザの便宜を図ることができる。
【００３６】
ここで、ディスプレイ装置１００はＴＶであることが望ましいが、コンピュータのモニター等でも良い。なお、外部機器はＡＶ機器であることが望ましいが、ディスプレイ装置１００に接続して使える多様な形の機器でも良い。なお、第１グラフィック乃至第３グラフィックは絵又は図形で表示されることのできるイメージでも良いし、メッセージは文字で表示されることのできるイメージでも良い。更に、グラフィック又はメッセージは動画像(ＤＩ:Ｄｙｎａｍｉｃ  Ｉｍａｇｅ)でも良い。
【００３７】
図２は、図１のディスプレイ装置をより具体的に示すための図である。図２を参照すれば、ディスプレイ装置１００は外部機器２００と接続されることができる。ディスプレイ装置１００は、ディスプレイ部１１０及び制御部１２０の以外に、判断部１３０、入力部１４０、ネットワークインターフェース部１５０及び出力部１６０を更に含むことができる。
【００３８】
判断部１３０は、外部機器２００から入力されるデータをディスプレイ装置１００がディスプレイできるか否かを判断することができる。一般的に、判断部１３０はディスプレイ装置１００に少なくとも１つ以上の外部機器２００が装着されるとディスプレイ装置１００と外部機器２００との間に予め設定された認証プロトコルに従って認証キーの値を交換することで、外部機器２００から入力されるデータをディスプレイ装置１００がディスプレイできるか否かを判断することができる。なお、ディスプレイ装置１００に少なくとも１つ以上の外部機器２００が装着されると、判断部１３０は自動的に行われ、外部機器２００から入力されるデータをディスプレイ装置１００がディスプレイできると判断されると、装着された外部機器２００の種類及びモデル名等の外部機器２００の情報がディスプレイ装置１００に伝達されることができる。この場合、制御部１２０は外部機器２００の種類及びモデル名のうち、少なくとも１つが自動的にディスプレイされるようにディスプレイ部１１０を制御することができる。
【００３９】
入力部１４０には、外部機器の種類及びモデル名のうち、少なくとも１つが入力されることができる。具体的に、入力部１４０はＴＶのリモートコントローラ又はＰＣのマウス等で実現されることができる。
【００４０】
ネットワークインターフェース部１５０は、ポート、端子、コネクタ等でも良いし、複数個のインターフェースで実現されたり、１つの統合インターフェースで実現されることができる。
【００４１】
出力部１６０はスピーカ等で実現されることができ、ディスプレイ部１１０のグラフィック又はメッセージを音声で出力することができる。
【００４２】
なお、ディスプレイ装置１００は保存部(図示せず)を更に含むことができ、保存部(図示せず)はディスプレイ装置で実行されることのできる外部機器の種類及びモデル名、認証プロトコル等が予め保存されることができる。
【００４３】
一方、外部機器２００は第１乃至第ｎ外部機器のように、少なくとも１つ以上の外部機器でも良いし、ディスプレイ装置１００のネットワークインターフェース部１５０を介してディスプレイ装置１００に装着されることができる。無論、外部機器２００もネットワークインターフェース部(図示せず)を備えることができる。
【００４４】
図３乃至図８は、ディスプレイ部の多様な例を示す図である。
図３を参照すれば、ディスプレイ部１１０は、接続中の状態をディスプレイすることができ、ディスプレイ装置１００を示す第１グラフィック３１０、外部機器２００を示す第２グラフィック３２０及び第１グラフィックと第２グラフィックとの接続状態を示す第３グラフィック３３０を含む。外部機器２００がディスプレイ装置１００に装着されると、制御部１２０は第３グラフィック３３０が第１グラフィック３１０と第２グラフィック３２０とを連結する波線でディスプレイされ、接続中の状態を示すメッセージ３４０(Ｃｏｎｎｅｃｔｉｎｇ)が第３グラフィック３３０の一側にディスプレイされるようにディスプレイ部１１０を制御することができる。無論、制御部１２０は接続中の状態を示すメッセージなしに接続中の状態を示すグラフィックのみがディスプレイされるように、ディスプレイ部１１０を制御することもできる。なお、判断部１３０は、ディスプレイ部１１０のディスプレイ動作と共に、外部機器２００から入力されるデータをディスプレイ装置１００がディスプレイできるか否かを判断することができる。
【００４５】
図４を参照すれば、ディスプレイ部１１０は接続済みの状態をディスプレイすることができる。制御部１２０は、判断部１３０の認証過程を通じて外部機器２００から入力されるデータをディスプレイ装置１００がディスプレイできると判断されると、第３グラフィック４３０が第１グラフィック４１０と第２グラフィック４２０とを連結する実線でディスプレイされ、接続済みの状態を示すメッセージ４４０(Ｃｏｎｎｅｃｔｅｄ)が第３グラフィック４３０の一側にディスプレイされるようにディスプレイ部１１０を制御することができる。無論、制御部１２０は接続済みの状態を示すメッセージなしに接続中の状態を示すグラフィックのみがディスプレイされるように、ディスプレイ部１１０を制御することもできる。なお、判断部１３０でディスプレイ装置１００及び外部機器２００間の情報交換が成されるため、制御部１２０は外部機器２００の種類４６０及びディスプレイ装置１００のモデル名４５０及び外部機器のモデル名４５５がディスプレイされるように、ディスプレイ部１１０を制御することができる。
【００４６】
図５を参照すれば、ディスプレイ部１１０は接続不可の状態をディスプレイすることができる。制御部１２０は判断部１３０の認証過程を通じて外部機器２００から入力されるデータをディスプレイ装置１００がディスプレイできないと判断されると、第３グラフィック５３０がディスプレイされず、第２グラフィック５２０に予め設定された形のイメージ５４０がディスプレイされるように、ディスプレイ部１１０を制御することができる。無論、制御部１２０は予め設定された形のイメージ５４０なしに第３グラフィック５３０がディスプレイされないように、制御することもできる。又は、制御部１２０は、第３グラフィック５３０が波線又は実線でディスプレイされ、予め設定された形のイメージ５４０、一例としては「Ｘマーク」が第３グラフィック５３０にオーバーラップされてディスプレイされるようにディスプレイ部１１０を制御することもできる。
【００４７】
図６を参照すれば、ディスプレイ部１１０は、不完全接続の状態をディスプレイすることができる。ここで、不完全接続の状態とは、ディスプレイ装置１００のネットワークインターフェース部１５０と外部機器２００のネットワークインターフェース部(図示せず)が相互に完全に接続されず、ディスプレイ装置１００及び外部機器２００の各々のネットワークインターフェースの特定のピンでは信号が伝達されることのできない状態を指すことができる。図６を参照すれば、第３グラフィック６３０は第１グラフィック６１０に接続されてディスプレイ装置１００のネットワークインターフェース部１５０を示す第１ポートグラフィック６３３、接続ライングラフィック６３５、外部機器のネットワークインターフェース部(図示せず)を示す第２ポートグラフィック６３７を含むことができる。この場合、制御部１２０は、外部機器２００がディスプレイ装置１００に正常に装着されなかった場合、第２ポートグラフィック６３７を拡大させたり点滅させるように、ディスプレイ部１１０を制御することができる。
【００４８】
図７を参照すれば、ディスプレイ部１１０はディスプレイ装置１００に少なくとも１つ以上の外部機器２００が接続され、接続素子(図示せず)を介して外部機器２００がディスプレイ装置１００に接続される一例がディスプレイされることができる。第２グラフィック７２０に対応される外部機器２００は、ディスプレイ装置１００で実行されることができるが、第２グラフィック７５０、７５５に対応される外部機器２００はディスプレイ装置１００で実行されることはできない。これにより、第２グラフィック７５０、７５５に対応される外部機器２００は接続素子(図示せず)を介してディスプレイ装置１００と接続されることができる。接続素子(図示せず)はジェンダー(ｇｅｎｄｅｒ)等で実現されることができる。
【００４９】
制御部１２０は、ディスプレイ装置１００が外部接続素子(図示せず)を介して外部機器２００と接続される場合、外部接続素子(図示せず)と接続された外部機器２００を示す第２グラフィック７５０、７５５がディスプレイされ、入力部１４０で入力された外部機器２００の種類及びモデル名のうち、少なくとも１つがディスプレイされるようにディスプレイ部１１０を制御することができる。この場合、外部接続素子(図示せず)とディスプレイ装置１００間の第３グラフィック７６０が接続中の状態、接続済みの状態等のような多様な接続状態でディスプレイされることができる。
【００５０】
図８を参照すれば、ディスプレイ部１１０は上述の多様な接続状態がディスプレイされた後に、外部機器２００の動作状態をディスプレイすることもできる。無論、外部機器２００がディスプレイ装置１００に正常に接続された場合が前提になり得る。具体的に、制御部１２０は少なくとも１つ以上の外部機器２００がディスプレイ装置１００に接続され、外部機器２００のうち少なくとも１つが実行されると、実行された外部機器２００に対応される第２グラフィック８２５、８２７がハイライトされるようにディスプレイ部１１０を制御することができる。又は、制御部１２０は、少なくとも１つ以上の外部機器２００がディスプレイ装置１００に接続され、外部機器２００のうち少なくとも１つが実行されると、第１グラフィック及び第２グラフィックのみハイライトされたり、第２グラフィック及び第３グラフィックがハイライトされたり、第１乃至第３グラフィックがハイライトされるようにディスプレイ部１１０を制御することもできる。
【００５１】
なお、図３乃至図８のように、ディスプレイ部１１０で多様なディスプレイ動作と共に、外部機器２００の接続状態又は動作状態を出力部１６０から音声で知らせることもできる。一方、上述のように、本発明の一実施例に係るディスプレイ装置１００は、外部機器とディスプレイ装置を接続し、ディスプレイ画面を備えた別途のインターフェース装置で行うこともできる。
【００５２】
図９は、本発明の一実施例に係るディスプレイ装置のディスプレイ方法を示すフローチャートである。図９を参照すれば、ディスプレイ装置のディスプレイ方法はディスプレイ装置１００に少なくとも１つ以上の外部機器２００が装着されると、外部機器２００から入力されるデータをディスプレイ装置１００がディスプレイできるか否かを判断できる(Ｓ９１０)。なお、このような判断に応じて、ディスプレイ装置１００、外部機器２００及びディスプレイ装置１００と外部機器２００との間の接続状態をディスプレイすることができる(Ｓ９２０)。
【００５３】
ここで、ディスプレイするステップ(Ｓ９２０)は、ディスプレイ装置１００を示す第１グラフィック、外部機器２００を示す第２グラフィック及びディスプレイ装置１００と外部機器２００との間の接続状態を示す第３グラフィックのうち、少なくとも１つをディスプレイすることができる。なお、ディスプレイ装置１００と外部機器２００とが接続されているか否かの状態を示したり、ディスプレイ装置１００及び外部機器の名称及びモデル名を示すメッセージをディスプレイすることもできる。
【００５４】
ディスプレイ装置のディスプレイ方法は、ディスプレイ装置１００に外部機器２００が装着されると、第３グラフィックを第１グラフィックと第２グラフィックとを連結する波線でディスプレイし、接続中の状態を示すメッセージを第３グラフィックの一側にディスプレイするステップ(図示せず)を更に含むことができる。このようなディスプレイするステップ(図示せず)は、ステップＳ９１０で上述の判断動作と共に行われることもでき、ステップＳ９１０の以後に行われることもできる。
【００５５】
図１０は、図９のディスプレイ装置のディスプレイ方法をより具体的に示すフローチャートである。図１０を参照すれば、ディスプレイ装置のディスプレイ方法は、ディスプレイ装置１００に少なくとも１つ以上の外部機器２００が装着されると、外部機器２００から入力されるデータをディスプレイ装置１００がディスプレイできるか否かを判断することができる(Ｓ１０１０)。その後、外部機器２００から入力されるデータをディスプレイ装置１００がディスプレイできると判断されると(Ｓ１０１０−Ｙ)、第３グラフィックを第１グラフィックと第２グラフィックとを連結する実線でディスプレイし、接続済みの状態を示すメッセージを第３グラフィックの一側にディスプレイすることができる(Ｓ１０２０)。
【００５６】
これに対し、外部機器２００から入力されるデータをディスプレイ装置１００がディスプレイできないと判断されると(Ｓ１０１０−Ｎ)、第１グラフィック及び第２グラフィックとを接続する第３グラフィックに予め設定された形のイメージがオーバーラップされてディスプレイされたり、第３グラフィックをディスプレイせずに第２グラフィックに予め設定された形のイメージをディスプレイすることができる(Ｓ１０３０)。なお、外部機器２００がディスプレイ装置１００に正常に接続されなかったため、外部機器２００から入力されるデータをディスプレイ装置１００がディスプレイできないと判断されると(Ｓ１０１０−Ｎ)、第２ポートグラフィックを拡大させたり点滅させて、ディスプレイすることができる。
【００５７】
なお、ディスプレイ装置のディスプレイ方法は、外部機器２００の種類及びモデル名のうち、少なくとも１つが入力されるステップ(図示せず)を更に含むことができる。この場合、ディスプレイ装置１００が外部接続素子(図示せず)を介して外部機器２００と接続される場合、外部接続素子(図示せず)と接続された外部機器２００を示す第３グラフィックをディスプレイし、入力された外部機器２００の種類及びモデル名のうち、少なくとも１つをディスプレイすることもできる。
【００５８】
更に、ディスプレイ装置のディスプレイ方法は、少なくとも１つ以上の外部機器２００がディスプレイ装置１００に接続され、外部機器２００のうち少なくとも１つが実行されると、実行された外部機器２００に対応される第２グラフィックをハイライトさせてディスプレイすることができる。なお、第１グラフィック及び第２グラフィックのみハイライトさせたり、第２グラフィック及び第３グラフィックをハイライトさせたり、第１グラフィック乃至第３グラフィックをハイライトさせてディスプレイすることもできる。ひいて、ディスプレイ装置のディスプレイ方法は、第２グラフィックを選択するための信号が入力されて、更に第２グラフィックが選択されると、選択された第２グラフィックに対応される外部機器を実行するための制御信号を外部機器に転送することができる。
【００５９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６０】
１１０  ディスプレイ部
１２０  制御部
１３０  判断部
１４０  入力部
１５０  ネットワークインターフェース部
１６０  出力部
２００  第１外部機器、第２外部機器、第ｎ外部機器
【図１】
2011002836.tif 000003
【図２】
2011002836.tif 000004
【図３】
2011002836.tif 000005
【図４】
2011002836.tif 000006
【図５】
2011002836.tif 000007
【図６】
2011002836.tif 000008
【図７】
2011002836.tif 000009
【図８】
2011002836.tif 000010
【図９】
2011002836.tif 000011
【図１０】
2011002836.tif 000012